(57)【要約】【課題】自動車のエアコン操作部やシフトレバー操作部などに配設されて、裏側からの照明によって照明部を発光させる照明カバー部材にあって、意匠性に富んだ構成を提供する。【解決手段】支持基材の表面に積層一体化する装飾フィルム１１を、金属光沢を有し、且つ、光を透過可能な薄膜金属層２１と、該薄膜金属層２１の裏面に一体的に配設される光透過性の裏面保護層２３と、該裏面保護層２３の裏側に印刷される、光不透過性の遮光印刷層２４ａとによって構成し、該装飾フィルム１１の表面に金属光沢を有する金属調装飾部３を形成する。そして、遮光印刷層２４ａを、金属調装飾部３を形成する部分で所定形状に欠落させ、遮光印刷層２４ａの当該欠落部分２５に照明部４を形成する。【選択図】図４
2014044375.tif 000002
【特許請求の範囲】
【請求項１】
支持基材の表面に装飾フィルムを積層一体化してなり、裏側からの照明によって発光する照明部を備える照明カバー部材であって、
装飾フィルムは、
金属光沢を有し、且つ、光を透過可能な薄膜金属層と、該薄膜金属層の裏面に一体的に配設される光透過性の裏面保護層と、該裏面保護層の裏側に印刷される、光不透過性の遮光印刷層とを備えてなり、表面に金属光沢を有する金属調装飾部が形成されたものであり、
遮光印刷層は、金属調装飾部を形成する部分で所定形状に欠落しており、遮光印刷層の当該欠落部分に照明部が形成されることを特徴とする照明カバー部材。
【請求項２】
支持基材は、装飾フィルムの裏面に当接するとともに、裏側に露出して、裏側からの照明の光を透過拡散して、装飾フィルムの裏面に伝える導光拡散部を備えることを特徴とする請求項１に記載の照明カバー部材。
【請求項３】
装飾フィルムを金型にセットした状態で、支持基材を射出成形して製造されるフィルムインサート成形品であり、支持基材のうち、装飾フィルムと当接する部分と、装飾フィルムの裏面保護層とは、相溶性を有する樹脂で構成されることを特徴とする請求項１又は請求項２に記載の照明カバー部材。
【発明の詳細な説明】
【技術分野】
【０００１】
本発明は、自動車のエアコン操作部やシフトレバー操作部、スタートスイッチなどに配設されて、裏側からの照明によって照明部を発光させる照明カバー部材に関する。
【背景技術】
【０００２】
自動車のエアコン操作部やシフトレバー操作部、スタートスイッチなどには、透光性を有する照明部を意匠面に備える照明カバー部材が知られている。こうした、照明カバー部材は、一般的に、装飾フィルムを表面に積層一体化してなる樹脂成形品であり、照明部の部分が透光性を有しており、照明カバー部材の裏側からの照明によって照明部が光るよう構成されている。また、こうした照明カバー部材の意匠面には、照明部とは別の箇所に金属光沢を有する金属調装飾部が設けられることが多い。例えば、特許文献１に記載の照明カバー部材では、装飾フィルムに光を透過可能な薄膜金属層を設けるとともに、薄膜金属層の表側に印刷層を形成し、該印刷層を、金属調装飾部を形成する部分を透明とし、金属調装飾部を形成しない部分は不透明とし、さらに、照明部を形成する部分を透光性を有するものとしている。
【先行技術文献】
【特許文献】
【０００３】
【特許文献１】特開２０１０−２００４７号公報
【発明の概要】
【発明が解決しようとする課題】
【０００４】
ところで、上記特許文献１に記載の照明カバー部材は、裏側から照らされることによって、照明部が発光することとなるが、裏側から照らされていない場合でも、照明カバー部材の表側（意匠面側）に印刷層によって形成されたパターンが見えるため、照明カバー部材を照らしている時と、照らしていない時とでは、照明部が明るく見えるか、見えないかの違いしかなく、意匠性の変化に乏しかった。
【０００５】
本発明は、かかる現状に鑑みてなされたものであり、より意匠性に富んだ照明カバー部材の提供を目的とする。
【課題を解決するための手段】
【０００６】
本発明は、支持基材の表面に装飾フィルムを積層一体化してなり、裏側からの照明によって発光する照明部を備える照明カバー部材であって、装飾フィルムは、金属光沢を有し、且つ、光を透過可能な薄膜金属層と、該薄膜金属層の裏面に一体的に配設される光透過性の裏面保護層と、該裏面保護層の裏側に印刷される、光不透過性の遮光印刷層とを備えてなり、表面に金属光沢を有する金属調装飾部が形成されたものであり、遮光印刷層は、金属調装飾部を形成する部分で所定形状に欠落しており、遮光印刷層の当該欠落部分に照明部が形成されることを特徴とする照明カバー部材である。
【０００７】
かかる構成にあっては、遮光印刷層は、薄膜金属層の裏側に形成されるため、照明部を裏側から照らさない状態では、遮光印刷層の欠落部分は、薄膜金属層の金属光沢によって遮られて判別不能となり、照明部は金属調装飾部の中に埋没することとなる。一方、照明部を裏側から照らした状態では、遮光印刷層の欠落部分を光が透過することにより、金属調装飾部の中で照明部が光って視認されることとなる。このように、本発明では、照明部を裏側から照らさない状態では、照明部の形状を判別困難となり、照明部を裏側から照らした時のみに、照明部が光って現出するため、照明の有無によって照明カバー部材の意匠を大きく変化させることが可能となる。
【０００８】
本発明にあって、支持基材は、装飾フィルムの裏面に当接するとともに、裏側に露出して、裏側からの照明の光を透過拡散して、装飾フィルムの裏面に伝える導光拡散部を備える構成が提案される。
【０００９】
かかる構成にあっては、裏側から照射する光が導光拡散部で拡散して、照明部全域に均一に到達することとなるため、照明部を斑無く発光させることが可能となる。
【００１０】
また、本発明にあって、装飾フィルムを金型にセットした状態で、支持基材を射出成形して製造されるフィルムインサート成形品であり、支持基材のうち、装飾フィルムと当接する部分と、装飾フィルムの裏面保護層とは、相溶性を有する樹脂で構成されることが提案される。
【００１１】
かかる構成にあっては、支持基材の成形と同時に、支持基材の表面に装飾フィルムを一体化することができるため、装飾フィルムを支持基材の表面に貼着したりする手間を省くことができるという利点がある。
【発明の効果】
【００１２】
以上に述べたように、本発明によれば、照明カバー部材を裏側から照らした時と、照らしていない時とで、照明カバー部材の意匠が大きく変化するため、従来構成に比べて、変化に富んだ意匠を実現できる。また、本発明では、金属調装飾部の中に照明部を形成することで、従来の照明カバー部材にはない斬新な意匠が実現される。
【図面の簡単な説明】
【００１３】
【図１】実施例１の照明カバー部材１の斜視図である。
【図２】実施例１の照明カバー部材１を切断して示す斜視図である。
【図３】実施例１の照明カバー部材１の裏面図である。
【図４】実施例１の装飾フィルム１１の層構造を示す説明図である。
【図５】実施例１の照明カバー部材１の作用を示す説明図である。
【図６】実施例１の照明カバー部材１の使用状態説明図である。
【図７】実施例２の照明カバー部材１ａの斜視図である。
【図８】実施例２の照明カバー部材１ａの組付態様を示す斜視図である。
【図９】実施例２の照明カバー部材１ａの作用を示す説明図である。
【発明を実施するための形態】
【００１４】
本発明の実施形態を、以下の実施例に従って説明する。
【実施例１】
【００１５】
本実施例の照明カバー部材１は、図１〜３に示すように、自動車のエンジンのスタートボタンを構成するベゼルである。この照明カバー部材１は、短円筒形状をなしており、その中央の貫通孔２にスタートスイッチ本体Ｐを前後方向に摺動可能に内嵌させるよう構成されている。また、照明カバー部材１には、背面側に開口する円環状の中空溝部６が形成される。照明カバー部材１の表側には、金属光沢を有する金属調装飾部３が全周に亘って設けられる。本実施例では、この金属調装飾部３の中に、「ＯＦＦ」、「ＡＣＣ」、「ＯＮ」の文字からなる３つの照明部４が設けられる。すなわち、照明カバー部材１は、照明部４の形成部分を光が透過可能に構成されており、ＬＥＤ（発光ダイオード）等の光源を用いて照明部４の裏側から照らすことで、各照明部４を発光させ得るよう構成されている。ここで、図３に示すように、中空溝部６は、各照明部４の裏側領域が仕切板７によって別々に区画されており、中空溝部６の、各照明部４の裏側領域に光源を設置することで、３つの照明部４を個別に発光させ得るよう構成されている。
【００１６】
照明カバー部材１の構成を具体的に説明すると、図２，３に示すように、照明カバー部材１は、照明カバー部材１の主体となる短円筒形状の支持基材１０と、該支持基材１０の表側に積層一体化されて金属調装飾部３を形成する装飾フィルム１１とを備えてなる。支持基材１０は、光透過性の導光拡散部１３と、光不透過性の遮光部１４とで構成される。導光拡散部１３は、光拡散剤を含む透明なＡＢＳ樹脂によって構成され、裏側から照射される光を拡散させながら装飾フィルム１１の裏面へ伝達するものであり、支持基材１０の表側に配設され、装飾フィルム１１の裏面と当接するとともに、その裏側で中空溝部６に露出することにより、中空溝部６から導光拡散部１３を介して装飾フィルム１１の裏面に光を照射し得るよう構成されている。一方、遮光部１４は、光を透過しない黒色のＡＢＳ樹脂によって構成されており、導光拡散部１３の背面側に配設されて、支持基材１０の外周部や内周部等を形成し、中空溝部６の中から照射させる光が周囲に漏れ出るのを防止する。
【００１７】
装飾フィルム１１は、全面に金属光沢を有する金属調装飾が形成されたものであり、図４に示すように、金属光沢を有する薄膜金属層２１と、該薄膜金属層２１の表面に設けられる表面保護層２２と、該薄膜金属層２１の裏側に設けられる裏面保護層２３と、裏面保護層２３の裏側に印刷される印刷層２４とで構成される。薄膜金属層２１は、インジウム等の金属薄膜からなるものであり、照射される一部の光を反射し、一部の光を透過させることにより、表側からの光によって金属光沢を呈するとともに、裏側からの光を部分的に表側に透過させる。この金属薄膜は、樹脂フィルムに真空蒸着してなる真空蒸着膜や、樹脂フィルムにスパッタリングしてなるスパッタ膜が好適に用いられる。また、金属薄膜の膜厚は４００〜７００Åが好ましい。膜厚が４００Å以上であれば薄膜金属層２１は十分な金属光沢を示し、膜厚が７００Å以下であれば、薄膜金属層２１に十分量の光を透過可能となる。表面保護層２２は、薄膜金属層２１の金属薄膜の基材となるＰＥＴ樹脂層２２ｂと、該ＰＥＴ樹脂層２２ｂの表面に形成されるアクリル樹脂層２２ａとからなる。アクリル樹脂層２２ａ及びＰＥＴ樹脂層２２ｂは透明樹脂によって構成され、薄膜金属層２１の表面を保護するとともに、薄膜金属層２１の金属光沢を表側から視認可能とする。一方、裏面保護層２３は、厚さ約２００〜２５０μｍの光透過性のＡＢＳ樹脂製フィルムで構成されるものであり、支持基材１０を背面側に射出する際に、薄膜金属層２１が熱で白化するのを防止する断熱層として機能する。また、裏面保護層２３は、印刷層２４の印刷面を構成する。印刷層２４は、光不透過性の黒色インキで形成される遮光印刷層２４ａと、光透過性の青色インキで形成される着色印刷層２４ｂとで構成される。遮光印刷層２４ａは、図４に示すように、照明部４を形成する部分で欠落することにより、裏側から照射される光が、照明部４のみを透過するようにするものである。一方、着色印刷層２４ｂは、光透過性の青色インキで形成されるものであり、照明部４を透過する光を青く着色する。
【００１８】
かかる装飾フィルム１１によれば、照明部４を裏側から照らすと、照明部４の部分を光が透過することによって、金属調装飾部３の中に照明部４が光って視認されることとなる。一方、照明部４を裏側から照らさない状態では、遮光印刷層２４ａの欠落部分２５が薄膜金属層２１の金属光沢に遮られて視認困難となることにより、表側からは照明部４の形状を判別困難となる。
【００１９】
スタートスイッチＱを構成した状態にあって、本実施例の照明カバー部材１には、図５に示すように、中空溝部６の内部であって、照明部４の裏側に光源となるＬＥＤ９が配設される。このＬＥＤ９が消灯状態の時は、図５（ａ），図６（ａ）に示すように、照明部４は発光せず、当該照明部４は、金属調装飾部３の金属光沢の中に埋没して判別困難となる。一方、ＬＥＤ９が点灯状態になると、図５（ｂ）に示すように、ＬＥＤ９の照射光が照明部４を透過して、金属調装飾部３の中に照明部４が光って視認される。ここで、ＬＥＤ９は、各照明部４の裏側に１つずつ配設されるため、図６（ｂ）〜６（ｄ）に示すように、スタートスイッチＱの操作状況に応じて各照明部４の裏側の光源を点灯させることにより、金属調装飾部３の中で照明部４を選択的に光らせることができる。また、本実施例にあって、導光拡散部１３を構成する樹脂には、光拡散剤が混入されているため、ＬＥＤ９の照射光は、導光拡散部１３を透過する際に拡散し、照明部４の全域に略均一に照射される。このため、本実施例では、照明部４の各部分を略均等な明るさで光らせることができる。
【００２０】
本実施例の照明カバー部材１は、フィルムインサート成形によって容易に製造できる。具体的には、まず、薄膜金属層２１の両面に保護層２２，２３を有するフィルムを製造し、しかる後に、当該フィルムの裏面に印刷層２４を印刷することにより、凹凸のない装飾フィルム１１を得る。そして、かかる装飾フィルム１１を圧空成形等により賦形し、金型にセットし得るように周囲を裁断する。そして、得られた装飾フィルム１１を表側が金型の型面に接するようにセットし、導光拡散部１３、遮光部１４の順番で二色成形を行うことで、支持基材１０の表面に装飾フィルム１１が積層一体化した照明カバー部材１を製造する。
【００２１】
以上のように、本実施例の照明カバー部材（ベゼル）１は、裏側から照らしていない状態では、照明部４は金属調装飾部３の中で判別不能となり、裏側から照らした状態では、遮光印刷層２４ａの欠落部分２５を光が透過して、照明部４が光って視認される。したがって、本実施例では、照明カバー部材１を裏側から照らした時のみに、照明部４が金属調装飾部３の中に現れるため、照明の点灯時と消灯時とで照明カバー部材１の意匠を大きく変化させることができるという利点がある。また、金属調装飾部３の中に照明部４を形成することで、従来にはない斬新な意匠を実現できるという利点もある。
【００２２】
また、本実施例では、装飾フィルム１１の裏面に当接する導光拡散部１３によって、光源からの光を拡散させるため、照明部４を斑なく発光させることができるという利点がある。
【００２３】
また、本実施例では、支持基材１０（導光拡散部１３及び遮光部１４）と、装飾フィルム１１の裏面保護層２３とが相溶性を有する樹脂（共にＡＢＳ樹脂）で構成されているため、照明カバー部材１をフィルムインサート成形によって製造する際に、接着剤等を用いることなく支持基材５の表面に装飾フィルム１１を積層一体化できるという利点がある。
【実施例２】
【００２４】
図７は、実施例２の照明カバー部材１ａの斜視図である。この照明カバー部材１ａは、図８に示すように、操作ツマミＲの上部中央に組み付けられて、操作ツマミＲの表面に金属調の装飾を形成するものである。具体的には、図７に示すように、照明カバー部材１ａは、支持基材１０ａの表側（上側）を装飾フィルム１１ａで覆うことにより、表側に金属調装飾部３ａを配設してなるものであり、金属調装飾部３ａの中の、右側部分に矩形状の照明部４ａが設けられている。なお、装飾フィルム１１ａの構成は、照明部４ａの形状が異なる他は実施例１と同じである。支持基材１０ａは、上部に設けられて装飾フィルム１１ａによって覆われる直方体状の本体部２６と、該本体部２６の右側から裏側に延出する導光脚部２７と、本体部２６の左側から裏側に延出して操作ツマミＲと係合する係止爪２８とによって構成される。この支持基材１０ａは、光拡散剤を含む透明なＡＢＳ樹脂のみによって構成されており、本実施例では、支持基材１０ａ全体が、裏側から照射される光を拡散させながら装飾フィルム１１ａの裏面へ伝達する導光拡散部を構成している。そして、本実施例では、図９に示すように、導光脚部２７の先端にＬＥＤ（光源）９が配置され、導光脚部２７の先端から支持基材１０ａの内部にＬＥＤ９の照射光を受け入れて、受け入れた照射光を支持基材１０ａの内部を介して装飾フィルム１１ａの裏面へ伝達するよう構成されている。このように、本発明にあって、光源の光は、装飾フィルムの真裏から当てなくても、支持基材の内部を介して装飾フィルムの裏面に導くようにしてもよい。また、本発明に係る支持基材は、光透過性の樹脂のみで構成することもできる。
【００２５】
以上の構成によれば、本実施例の照明カバー部材１ａは、ＬＥＤ（光源）９の消灯状態では、図９（ａ）に示すように、照明部４ａは発光せず、金属調装飾部３ａの金属光沢の中に埋没して判別困難となる。一方、ＬＥＤ９の点灯状態では、図９（ｂ）に示すように、ＬＥＤ９の照射光が導光脚部２７の先端から支持基材１０ａの内部に照射され、支持基材１０ａの内部を介して装飾フィルム１１ａの裏面に到達した照射光が照明部４ａを透過することにより、金属調装飾部３ａの中で照明部４ａが光って視認されることとなる。
【００２６】
なお、本発明の照明カバー部材は、上記実施例の形態に限らず本発明の要旨を逸脱しない範囲内において種々変更を加えることができる。例えば、上記実施例の照明カバー部材は、スタートスイッチのベゼル等であったが、本発明の照明カバー部材は、実施例の照明カバー部材の形状に限定されず、裏側からの照明によって発光する照明部を備えるものであれば、その形状は特に限定されるものではない。
【００２７】
また、上記実施例の照明カバー部材は、装飾フィルムによって表側全体に金属調の装飾が施されていたが、本発明に係る照明カバー部材は、装飾フィルムのみによって装飾されるものに限らず、塗装や他のフィルムなどによる装飾を併用することができる。また、本発明に係る装飾フィルムは、全面が金属光沢を有するものに限らず、装飾フィルムの一部に、金属調装飾部以外の装飾を施すこともできる。
【００２８】
また、上記実施例では、照明カバー部材１を裏側からＬＥＤ９によって照らしているが、照明カバー部材を裏側から照らす光源は、ＬＥＤに限らず、白熱電球やＥＬ（エレクトロルミネッセンス）などを用いることができる。
【符号の説明】
【００２９】
１，１ａ  照明カバー部材
２  貫通孔
３  金属調装飾部
４，４ａ  照明部
６  中空溝部
７  仕切板
９  ＬＥＤ
１０，１０ａ  支持基材
１１，１１ａ  装飾フィルム
１３  導光拡散部
１４  遮光部
２１  薄膜金属層
２２  表面保護層
２３  裏面保護層
２４  印刷層
２４ａ  遮光印刷層
２４ｂ  着色印刷層
２５  欠落部分
２６  本体部
２７  導光脚部
２８  係止爪
Ｐ  スタートスイッチ本体
Ｑ  スタートスイッチ
Ｒ  操作ツマミ
【図１】
2014044375.tif 000003
【図２】
2014044375.tif 000004
【図３】
2014044375.tif 000005
【図４】
2014044375.tif 000006
【図５】
2014044375.tif 000007
【図６】
2014044375.tif 000008
【図７】
2014044375.tif 000009
【図８】
2014044375.tif 000010
【図９】
2014044375.tif 000011